(57)【要約】【課題】天気予報情報を送信する度にブロードキャストを用いなくても、各携帯端末の画面に天気予報情報を表すお天気アイコンを表示することを可能とする。【解決手段】サーバが、携帯端末に、ダウンロードスケジュール情報を記述したファイル及びお天気アイコン群を送信するステップと、携帯端末が、サーバに、ダウンロードスケジュール情報を基に決定した或る時刻に、携帯端末が属しているセルを識別するためのセル識別情報及びお天気アイコン識別情報送信要求を送信するステップと、サーバが、セル識別情報により識別されるセルの天気予報情報に対応したお天気アイコン識別情報を記憶装置から読み出し、読み出されたお天気アイコン識別情報を携帯端末に送信するステップと、携帯端末が、受信したお天気アイコン識別情報に対応したお天気アイコンをお天気アイコン群から選択して、表示部に表示するステップを備える。【選択図】図１
2008035362.tif 000002
【特許請求の範囲】
【請求項１】
サーバが、携帯端末に対し、ダウンロードスケジュール情報を記述したファイルを送信するステップと、
前記携帯端末が、前記サーバに対し、前記ダウンロードスケジュール情報を基に決定した或る時刻に、携帯網のセルであって、前記携帯端末が属しているセルを識別するためのセル識別情報及びアイコン識別情報送信要求を送信するステップと、
前記サーバが、前記セル識別情報により識別されるセルの地域特有情報に対応したアイコン識別情報を前記携帯端末に送信するステップと、
前記携帯端末が、受信したアイコン識別情報に対応したアイコンを内部又は外部の記憶手段に格納されているアイコン群（すなわち、アイコンとそれに対応した識別情報の組の群）から選択して、表示部に表示するステップと、
を備えることを特徴とするアイコン表示方法。
【請求項２】
サーバが、携帯端末に対し、ダウンロードスケジュール情報を記述したファイルを送信するステップと、
前記携帯端末が、前記サーバに対し、前記ダウンロードスケジュール情報を基に決定した或る時刻に、携帯網のセルであって、前記携帯端末が属しているセルを識別するためのセル識別情報及び送信要求を送信するステップと、
前記サーバが、前記セル識別情報により識別されるセルの地域特有情報、該地域特有情報に対応したアイコン又はその双方を前記携帯端末に送信するステップと、
前記携帯端末が、受信した地域特有情報、アイコン又はその双方を表示部に表示するステップと、
を備えることを特徴とするアイコン表示方法。
【請求項３】
サーバが、携帯端末に対し、ダウンロードスケジュール情報を記述したファイルを送信するステップと、
前記携帯端末が、前記サーバに対し、前記ダウンロードスケジュール情報を基に決定した或る時刻に、携帯網のセルであって、前記携帯端末が属しているセルを識別するためのセル識別情報及びアイコン識別情報送信要求を送信するステップと、
前記サーバが、前記セル識別情報を基に、前記携帯端末が存在する地域を検出し、その地域の地域特有情報に対応したアイコン識別情報を前記携帯端末に送信するステップと、
前記携帯端末が、受信したアイコン識別情報に対応したアイコンを内部又は外部の記憶手段に格納されているアイコン群（すなわち、アイコンとそれに対応した識別情報の組の群）から選択して、表示部に表示するステップと、
を備えることを特徴とするアイコン表示方法。
【請求項４】
サーバが、携帯端末に対し、ダウンロードスケジュール情報を記述したファイルを送信するステップと、
前記携帯端末が、前記サーバに対し、前記ダウンロードスケジュール情報を基に決定した或る時刻に、携帯網のセルであって、前記携帯端末が属しているセルを識別するためのセル識別情報及び送信要求を送信するステップと、
前記サーバが、前記セル識別情報を基に、前記携帯端末が存在する地域を検出し、その地域の地域特有情報、該地域特有情報に対応したアイコン又はその双方を前記携帯端末に送信するステップと、
前記携帯端末が、受信した地域特有情報、アイコン又はその双方を表示部に表示するステップと、
を備えることを特徴とするアイコン表示方法。
【請求項５】
サーバが、携帯端末に対し、ダウンロードスケジュール情報を記述したファイルを送信するステップと、
前記携帯端末が、前記サーバに対し、前記ダウンロードスケジュール情報を基に決定した或る時刻に、前記携帯端末が存在する位置を識別するための位置識別情報及びアイコン識別情報送信要求を送信するステップと、
前記サーバが、前記位置識別情報を基に、前記携帯端末が存在する地域を検出し、その地域の地域特有情報に対応したアイコン識別情報を前記携帯端末に送信するステップと、
前記携帯端末が、受信したアイコン識別情報に対応したアイコンを内部又は外部の記憶手段に格納されているアイコン群（すなわち、アイコンとそれに対応した識別情報の組の群）から選択して、表示部に表示するステップと、
を備えることを特徴とするアイコン表示方法。
【請求項６】
サーバが、携帯端末に対し、ダウンロードスケジュール情報を記述したファイルを送信するステップと、
前記携帯端末が、前記サーバに対し、前記ダウンロードスケジュール情報を基に決定した或る時刻に、前記携帯端末が存在する位置を識別するための位置識別情報及び送信要求を送信するステップと、
前記サーバが、前記位置識別情報を基に、前記携帯端末が存在する地域を検出し、その地域の地域特有情報、該地域特有情報に対応したアイコン又はその双方を前記携帯端末に送信するステップと、
前記携帯端末が、受信した地域特有情報、アイコン又はその双方を表示部に表示するステップと、
を備えることを特徴とするアイコン表示方法。
【請求項７】
請求項１、３又は５に記載のアイコン表示方法において、
前記サーバが、携帯端末に対し、前記アイコン群を送信するステップと、
前記携帯端末が、サーバから受信した前記アイコン群を前記記憶手段に格納するステップと、
を更に備えることを特徴とするアイコン表示方法。
【請求項８】
サーバから、ダウンロードスケジュール情報を記述したファイルを受信する手段と、
前記サーバに対し、前記ダウンロードスケジュール情報を基に決定した或る時刻に、携帯網のセルであって、前記携帯端末が属しているセルを識別するためのセル識別情報及びアイコン識別情報送信要求を送信する手段と、
前記セル識別情報により識別されるセルの地域特有情報に対応したアイコン識別情報を前記サーバから受信する手段と、
受信したアイコン識別情報に対応したアイコンを内部又は外部の記憶手段に格納されているアイコン群（すなわち、アイコンとそれに対応した識別情報の組の群）から選択して、表示部に表示する手段と、
を備えることを特徴とする携帯端末。
【請求項９】
サーバから、ダウンロードスケジュール情報を記述したファイルを受信する手段と、
前記サーバに対し、前記ダウンロードスケジュール情報を基に決定した或る時刻に、携帯網のセルであって、前記携帯端末が属しているセルを識別するためのセル識別情報及び送信要求を送信する手段と、
前記セル識別情報により識別されるセルの地域特有情報、該地域特有情報に対応したアイコン又はその双方を前記サーバから受信する手段と、
受信した地域特有情報、アイコン又はその双方を表示部に表示する手段と、
を備えることを特徴とする携帯端末。
【請求項１０】
サーバから、ダウンロードスケジュール情報を記述したファイルを送信する手段と、
前記サーバに対し、前記ダウンロードスケジュール情報を基に決定した或る時刻に、携帯網のセルであって、前記携帯端末が属しているセルを識別するためのセル識別情報及びアイコン識別情報送信要求を送信する手段と、
前記セル識別情報を基に、前記携帯端末が存在する地域を検出したサーバから、その地域の地域特有情報に対応したアイコン識別情報を受信する手段と、
受信したアイコン識別情報に対応したアイコンを内部又は外部の記憶手段に格納されているアイコン群（すなわち、アイコンとそれに対応した識別情報の組の群）から選択して、表示部に表示する手段と、
を備えることを特徴とする携帯端末。
【請求項１１】
サーバから、ダウンロードスケジュール情報を記述したファイルを受信する手段と、
前記サーバに対し、前記ダウンロードスケジュール情報を基に決定した或る時刻に、携帯網のセルであって、前記携帯端末が属しているセルを識別するためのセル識別情報及び送信要求を送信する手段と、
前記セル識別情報を基に、前記携帯端末が存在する地域を検出したサーバから、その地域の地域特有情報、該地域特有情報に対応したアイコン又はその双方を受信する手段と、
受信した地域特有情報、アイコン又はその双方を表示部に表示する手段と、
を備えることを特徴とする携帯端末。
【請求項１２】
サーバから、ダウンロードスケジュール情報を記述したファイルを受信する手段と、
前記サーバに対し、前記ダウンロードスケジュール情報を基に決定した或る時刻に、携帯網のセルであって、前記携帯端末が存在する位置を識別するための位置識別情報及びアイコン識別情報送信要求を送信する手段と、
前記位置識別情報を基に、前記携帯端末が存在する地域を検出したサーバから、その地域の地域特有情報に対応したアイコン識別情報を受信する手段と、
受信したアイコン識別情報に対応したアイコンを内部又は外部の記憶手段に格納されているアイコン群（すなわち、アイコンとそれに対応した識別情報の組の群）から選択して、表示部に表示する手段と、
を備えることを特徴とする携帯端末。
【請求項１３】
サーバから、ダウンロードスケジュール情報を記述したファイルを受信する手段と、
前記サーバに対し、前記ダウンロードスケジュール情報を基に決定した或る時刻に、前記携帯端末が存在する位置を識別するための位置識別情報及び送信要求を送信する手段と、
前記位置識別情報を基に、前記携帯端末が存在する地域を検出したサーバから、その地域の地域特有情報、該地域特有情報に対応したアイコン又はその双方を受信する手段と、
受信した地域特有情報、アイコン又はその双方を表示部に表示する手段と、
を備えることを特徴とする携帯端末。
【請求項１４】
請求項８、１０又は１２に記載の携帯端末において、
前記サーバから、前記アイコン群を受信する手段と、
サーバから受信した前記アイコン群を前記記憶手段に格納する手段と、
を更に備えることを特徴とする携帯端末。
【請求項１５】
携帯端末に対し、ダウンロードスケジュール情報を記述したファイルを送信する手段と、
前記携帯端末から、前記ダウンロードスケジュール情報を基に決定した或る時刻に、前記携帯端末が属しているセルを識別するためのセル識別情報及びアイコン識別情報送信要求を受信する手段と、
前記セル識別情報により識別されるセルの地域特有情報に対応したアイコン識別情報を前記携帯端末に送信する手段と、
を備えることを特徴とするサーバ。
【請求項１６】
携帯端末に対し、ダウンロードスケジュール情報を記述したファイルを送信する手段と、
前記携帯端末から、前記ダウンロードスケジュール情報を基に決定した或る時刻に、前記携帯端末が属しているセルを識別するためのセル識別情報及び送信要求を受信する手段と、
前記セル識別情報により識別されるセルの地域特有情報、該地域特有情報に対応したアイコン又はその双方を前記携帯端末に送信する手段と、
を備えることを特徴とするサーバ。
【請求項１７】
携帯端末に対し、ダウンロードスケジュール情報を記述したファイルを送信する手段と、
前記携帯端末から、前記ダウンロードスケジュール情報を基に決定した或る時刻に、前記携帯端末が属しているセルを識別するためのセル識別情報及びアイコン識別情報送信要求を受信する手段と、
前記セル識別情報を基に、前記携帯端末が存在する地域を検出し、その地域の地域特有情報に対応したアイコン識別情報を前記携帯端末に送信する手段と、
を備えることを特徴とするサーバ。
【請求項１８】
携帯端末に対し、ダウンロードスケジュール情報を記述したファイルを送信する手段と、
前記携帯端末から、前記ダウンロードスケジュール情報を基に決定した或る時刻に、前記携帯端末が属しているセルを識別するためのセル識別情報及び送信要求を受信する手段と、
前記セル識別情報を基に、前記携帯端末が存在する地域を検出し、その地域の地域特有情報、該地域特有情報に対応したアイコン又はその双方を前記携帯端末に送信する手段と、
を備えることを特徴とするサーバ。
【請求項１９】
携帯端末に対し、ダウンロードスケジュール情報を記述したファイルを送信する手段と、
前記携帯端末から、前記ダウンロードスケジュール情報を基に決定した或る時刻に、前記携帯端末が存在する位置を識別するための位置識別情報及びアイコン識別情報送信要求を受信する手段と、
前記位置識別情報を基に、前記携帯端末が存在する地域を検出し、その地域の地域特有情報に対応したアイコン識別情報を前記携帯端末に送信する手段と、
を備えることを特徴とするサーバ。
【請求項２０】
携帯端末に対し、ダウンロードスケジュール情報を記述したファイルを送信する手段と、
前記携帯端末から、前記ダウンロードスケジュール情報を基に決定した或る時刻に、前記携帯端末が存在する位置を識別するための位置識別情報及び送信要求を受信する手段と、
前記位置識別情報を基に、前記携帯端末が存在する地域を検出し、その地域の地域特有情報、該地域特有情報に対応したアイコン又はその双方を前記携帯端末に送信する手段と、
を備えることを特徴とするサーバ。
【請求項２１】
請求項１５、１７又は１９に記載のサーバにおいて、
携帯端末に対し、前記アイコン群を送信する手段を更に備えることを特徴とするサーバ。
【発明の詳細な説明】
【技術分野】
【０００１】
本発明は、携帯端末の画面にアイコンを表示するためのアイコン表示方法並びにその方法で用いられる携帯端末及びサーバに関する。
【背景技術】
【０００２】
従来、本願の出願人は、第２世代の携帯電話網(ＰＤＣ(Personal Digital Cellular)を利用した携帯電話網)を利用したお天気アイコンのサービスを行っている（特許文献１参照）。このサービスにおいては、お天気アイコンを携帯端末の画面に表示するための情報の送信をブロードキャストによって行っている。すなわち、気象庁により発表される天気予報は、東京都区内、東京西部、埼玉県南部といった各地域毎のものであるが、各基地局がどの地域に属しているのかが既知であるため、各基地局からその基地局が属する地域の天気予報の情報をその基地局のセル内にある携帯端末にブロードキャストし、それを受信した各携帯端末は、その情報に従って、画面にお天気アイコンを表示している。
【特許文献１】特開２００４−１９３９３９号公報
【発明の開示】
【発明が解決しようとする課題】
【０００３】
ところで、近年、携帯電話網は第２世代から第３世代に移行されつつある。ここで、第３世代の携帯電話網とは、例えば、Ｗ−ＣＤＭＡ(Wideband-Code Division Multiple Access)方式を利用した携帯電話網のことである。
【０００４】
第３世代の携帯電話網においても、第２世代の携帯電話網と同様に、天気予報の情報を基地局から圏内にある携帯端末にブロードキャストすることは、技術的には可能であるが、そのための設備投資が膨大となってしまう。
【０００５】
そこで、本発明は、天気予報情報などの地域特有情報を送信する度にブロードキャストの技術を用いなくても、各携帯端末の画面に地域特有情報を表すアイコンを表示することを可能とするアイコン表示方法並びにその方法で用いられる携帯端末及びサーバを提供することを目的とする。
【課題を解決するための手段】
【０００６】
本発明の第１の観点によれば、サーバが、携帯端末に対し、ダウンロードスケジュール情報を記述したファイルを送信するステップと、前記携帯端末が、前記サーバに対し、前記ダウンロードスケジュール情報を基に決定した或る時刻に、携帯網のセルであって、前記携帯端末が属しているセルを識別するためのセル識別情報及びアイコン識別情報送信要求を送信するステップと、前記サーバが、前記セル識別情報により識別されるセルの地域特有情報に対応したアイコン識別情報を前記携帯端末に送信するステップと、前記携帯端末が、受信したアイコン識別情報に対応したアイコンを内部又は外部の記憶手段に格納されているアイコン群（すなわち、アイコンとそれに対応した識別情報の組の群）から選択して、表示部に表示するステップと、を備えることを特徴とするアイコン表示方法が提供される。
【０００７】
本発明の第２の観点によれば、サーバが、携帯端末に対し、ダウンロードスケジュール情報を記述したファイルを送信するステップと、前記携帯端末が、前記サーバに対し、前記ダウンロードスケジュール情報を基に決定した或る時刻に、携帯網のセルであって、前記携帯端末が属しているセルを識別するためのセル識別情報及び送信要求を送信するステップと、前記サーバが、前記セル識別情報により識別されるセルの地域特有情報、該地域特有情報に対応したアイコン又はその双方を前記携帯端末に送信するステップと、前記携帯端末が、受信した地域特有情報、アイコン又はその双方を表示部に表示するステップと、を備えることを特徴とするアイコン表示方法が提供される。
【０００８】
本発明の第３の観点によれば、サーバが、携帯端末に対し、ダウンロードスケジュール情報を記述したファイルを送信するステップと、前記携帯端末が、前記サーバに対し、前記ダウンロードスケジュール情報を基に決定した或る時刻に、携帯網のセルであって、前記携帯端末が属しているセルを識別するためのセル識別情報及びアイコン識別情報送信要求を送信するステップと、前記サーバが、前記セル識別情報を基に、前記携帯端末が存在する地域を検出し、その地域の地域特有情報に対応したアイコン識別情報を前記携帯端末に送信するステップと、前記携帯端末が、受信したアイコン識別情報に対応したアイコンを内部又は外部の記憶手段に格納されているアイコン群（すなわち、アイコンとそれに対応した識別情報の組の群）から選択して、表示部に表示するステップと、を備えることを特徴とするアイコン表示方法が提供される。
【０００９】
本発明の第４の観点によれば、サーバが、携帯端末に対し、ダウンロードスケジュール情報を記述したファイルを送信するステップと、前記携帯端末が、前記サーバに対し、前記ダウンロードスケジュール情報を基に決定した或る時刻に、携帯網のセルであって、前記携帯端末が属しているセルを識別するためのセル識別情報及び送信要求を送信するステップと、前記サーバが、前記セル識別情報を基に、前記携帯端末が存在する地域を検出し、その地域の地域特有情報、該地域特有情報に対応したアイコン又はその双方を前記携帯端末に送信するステップと、前記携帯端末が、受信した地域特有情報、アイコン又はその双方を表示部に表示するステップと、を備えることを特徴とするアイコン表示方法が提供される。
【００１０】
本発明の第５の観点によれば、サーバが、携帯端末に対し、ダウンロードスケジュール情報を記述したファイルを送信するステップと、前記携帯端末が、前記サーバに対し、前記ダウンロードスケジュール情報を基に決定した或る時刻に、前記携帯端末が存在する位置を識別するための位置識別情報及びアイコン識別情報送信要求を送信するステップと、前記サーバが、前記位置識別情報を基に、前記携帯端末が存在する地域を検出し、その地域の地域特有情報に対応したアイコン識別情報を前記携帯端末に送信するステップと、前記携帯端末が、受信したアイコン識別情報に対応したアイコンを内部又は外部の記憶手段に格納されているアイコン群（すなわち、アイコンとそれに対応した識別情報の組の群）から選択して、表示部に表示するステップと、を備えることを特徴とするアイコン表示方法が提供される。
【００１１】
本発明の第６の観点によれば、サーバが、携帯端末に対し、ダウンロードスケジュール情報を記述したファイルを送信するステップと、前記携帯端末が、前記サーバに対し、前記ダウンロードスケジュール情報を基に決定した或る時刻に、前記携帯端末が存在する位置を識別するための位置識別情報及び送信要求を送信するステップと、前記サーバが、前記位置識別情報を基に、前記携帯端末が存在する地域を検出し、その地域の地域特有情報、該地域特有情報に対応したアイコン又はその双方を前記携帯端末に送信するステップと、前記携帯端末が、受信した地域特有情報、アイコン又はその双方を表示部に表示するステップと、を備えることを特徴とするアイコン表示方法が提供される。
【００１２】
本発明の第１、第３又は第５の観点によるアイコン表示方法において、前記サーバが、携帯端末に対し、前記アイコン群を送信するステップと、前記携帯端末が、サーバから受信した前記アイコン群を前記記憶手段に格納するステップと、を更に備えるようにしてもよい。
【発明の効果】
【００１３】
本発明によれば、地域特有情報を送信する度にブロードキャストの技術を用いなくても、各携帯端末の画面に地域特有情報を表すアイコンを表示することが可能となる。
【発明を実施するための最良の形態】
【００１４】
以下、図面を参照して本発明を実施するための最良の形態について詳細に説明する。
【００１５】
［実施形態１］
図１は、本発明の実施形態による携帯端末の構成を示すブロック図である。
【００１６】
図１を参照すると、携帯端末は、通信部１０１、制御部１０３、記憶部１０５、表示部１０７、操作部１０９、コーデック部１１１及びマイク／スピーカ１１３を備える。通信部１０１は、Ｗ−ＣＤＭＡ方式などに従って、携帯電話網での通信を行う。制御部１０３は、携帯端末全体を制御する。記憶部１０５は、種々の情報を記憶する。記憶部１０５は、携帯端末の内部にあっても外部にあっても良い。記憶部１２５が外部にあるとは、例えば、携帯端末に差し込まれたメモリカードや携帯端末とBluetoothや赤外線やＦＭなどにより近距離通信を行うメモリカード装置に記憶部１２５があることをいう。表示部１０７は、画面を表示する。操作部１０９は、ユーザからの入力（音声以外）を受け付ける。コーデック部１１１は、マイクから入力された音声を符号化し、通信部１０１から入力された符号を音声に復号する。マイク／スピーカ１１３は、音声を入出力する。
【００１７】
図２は、本発明の実施形態によるサーバの構成を示すブロック図である。
【００１８】
図２を参照すると、サーバは、通信部１２１、制御部１２３、記憶部１２５及びインターフェース部１２７を備える。通信部１２１は、Ｗ−ＣＤＭＡ方式などに従って、携帯電話網での通信を行う。制御部１２３は、サーバ全体を制御する。記憶部１２５は、種々の情報を記憶する。インターフェース部１２７は、コンテンツプロバイダのサーバとの間で通信を行う。
【００１９】
携帯端末とサーバとは、基地局、ＳＧＳＮ(Serving GPRS Support Node)、ＧＧＳＮ(Gateway GPRS Support Node)、ＷＰＧ(WAP Gateway)、ＭＳＣ(Mobile Services Switching Center)、ＳＭＣ−Ｃ(Short Message Service-Center)、ＰＰＧ(Push Proxy Gateway)等を介して接続される。
【００２０】
図３は、本発明の実施形態によるお天気アイコン表示方法の全体を示すシーケンス図である。
【００２１】
まず、サーバは、携帯端末に対し、スケジュールファイル４０１及びお天気アイコン群４０３を送信する（ステップＳ２０１）。このタイミングは、例えば、キャリアと加入者との間で、お天気アイコンサービスの契約を結んだ時、スケジュールやアイコンを変更した時であればよいが、毎晩この送信を行ってもよい。スケジュールファイル４０１は、例えば、図４に示すようなものである。
【００２２】
図４を参照すると、第２行のduration="3600"は、最長遅延時間が３６００秒であることを示す。最長遅延時間とは、多数の携帯端末が一斉にお天気アイコン識別情報などをサーバからダウンロードすると携帯電話網が輻輳することを避けるために、ダウンロードの時間を図５に示すように分散させる場合に利用する最大遅延時間のことである。例えば、基準時刻が午前７時３０分であり、最長遅延時間が３６００秒（＝６０分）であれば、午前７時３０分から午前８時３０分までの間に複数の携帯端末が散発的にお天気アイコン識別情報などをサーバからダウンロードする。なお、duration="3600"としたのはあくまで一例であり、通信網のトラフィック量に応じて変化させても良い。
【００２３】
図４に戻り、第３行は、午前７時３０分を基準時間としてhttp://www.hogehoge.comという場所にある01.cgiというプログラムを起動し、そのプログラムが出力するファイル（お天気アイコン識別情報などを含む）をダウンロードするべきことを示す。
【００２４】
第４行は、午後１時３０分を基準時間としてhttp://www.hogehoge.comという場所にある02.cgiというプログラムを起動し、そのプログラムが出力するファイル（お天気アイコン識別情報などを含む）をダウンロードするべきことを示す。
【００２５】
第５行は、午後７時３０分を基準時間としてhttp://www.hogehoge.comという場所にある03.cgiというプログラムを起動し、そのプログラムが出力するファイル（お天気アイコン識別情報などを含む）をダウンロードするべきことを示す。
【００２６】
お天気アイコン群には、図６に示すような基本的なお天気アイコン、図７に示すような花粉情報を示すアイコン、桜開花情報を示すアイコン、紅葉程度を示すアイコン、図８に示すような降水確率を示すアイコン、台風情報を示すアイコン、紫外線強度を示すアイコン、図９に示すような防災情報を示すアイコン、トピックアイコンなどが含まれる。図７、図８、図９では、省略しているが、各お天気アイコンには、識別情報（番号や文字列など）が対応づけられ、これらが組となってサーバから携帯端末に送信される。例えば、晴れを示すアイコンと晴れを示す識別情報「０００１」は、組となってサーバから携帯端末に送信される。
【００２７】
携帯端末は、送信されてきたスケジュールファイル４０１及びお天気アイコン群４０３を記憶部１０５に格納する。
【００２８】
第１の基地局は、継続的に、その圏内にある携帯端末に対し、セル識別情報を送信する（ステップＳ２０３）。従って、携帯端末が電源を投入した時、携帯端末がローミングをした時、携帯端末が圏外から圏内に移動した時などに、携帯端末は、遅滞なく第１の基地局を識別するためのセル識別情報を受信する。
【００２９】
次に、スケジュールファイル４０１に記述されている第１の基準時刻（例えば、午前７時３０分）から最長遅延時間が経過するまでの間の計算などにより求まった時刻に携帯端末は、サーバに対し（正確には、サーバにあるｃｇｉプログラムに対し）お天気アイコン識別情報送信要求とセル識別情報を送信する（ステップＳ２０５）。
【００３０】
この時に送信されるテキストファイルの例を下に示す。
【００３１】
http://www.www.hogehoge.com/01.cgi?loc=7022926
ここで、「http://www.www.hogehoge.com/01.cgi」は、スケジュールファイル４０１から抜き出したものである。また、「?loc=7022926」は、セル識別情報が７０２２９２６であることを示す。
【００３２】
時刻を計算するためには、第１の基準時刻及び最長遅延時間を少なくとも利用し、算出された時刻が第１の基準時刻（例えば、午前７時３０分）ｔ１から最長遅延時間Δｔが経過するまでの間に収まるようにする。例えば、携帯端末の個体識別情報や、携帯端末の電源を投入した時に携帯端末が属していたセルの識別情報を、０から１までの間の数値αを出力する乱数発生関数に入力し、ｔ１＋α×ΔｔをステップＳ２０５を行う時刻とすればよい。また、例えば、図１０に示すような数式により求まった値βを用いて、ｔ１＋βをステップＳ２０５を行う時刻とすればよい。
【００３３】
コンテンツプロバイダのサーバは、気象庁により各地域毎の天気予報情報が発表されると、その天気予報情報に対応したお天気アイコン識別情報群を生成する。
【００３４】
つまり、気象庁より、４８時間分の天気予報が発表される。午前７：３０の発表時には今日と明日の天気予報を発表し、午後１時３０分の発表時には今日の昼以降と明日の天気予報を発表し、午後７時３０分の発表時には今夜と明日の天気予報を発表する。コンテンツプロバイダは、これらの天気予報情報を基に、お天気アイコン識別情報を生成する。
【００３５】
また、コンテンツプロバイダサーバは、各セルがどの地域に属しているのかという情報を保有している。従って、コンテンツプロバイダのサーバは、気象庁が一日に３回天気予報を発表する度に、各セル毎のお天気アイコン識別情報群をインターフェース部１２７を介して記憶部１２５に格納する。従って、サーバの記憶部１２５には、各セル毎の最新の天気予報に対応したお天気アイコン識別情報群が格納されている。
【００３６】
ステップＳ２０５での送信要求及びセル識別情報は、通信部１２１を介して、プログラム（例えば、ＣＧＩプログラムであるが、ＣＧＩプログラムでなくてもよい。）に渡される。このプログラムは、制御部１２３で稼働している。したがって、そのプログラムは、セル識別情報により示されるセルに対応したお天気アイコン識別情報群を記憶部１２５から読み出し、これを携帯端末に送信する（ステップＳ２０７）。
【００３７】
この時に送信されるテキストファイルの例を図１１に示す。図１１に示す例では、お天気アイコン識別情報群は、５つのお天気アイコン識別情報（０００４、０００７、０００１、０００９、００１２）により構成される。それぞれは、「晴れ」、「後」、「雨」、「花粉多し」及び「桜満開」に対応する。
【００３８】
ステップＳ２０７でお天気アイコン識別情報群を受信した携帯端末の制御部１０３で稼働するプログラムは、各お天気アイコン識別情報に対応するお天気アイコンを記憶部１０５から読み出す。そして、図１２に示すように、表示部１０７が表示する待受画面にそれらのお天気アイコンを並べて表示する。
【００３９】
天気予報が気象庁から一日に三回発表されるのに伴い、ステップＳ２０３、Ｓ２０５、Ｓ２０７と同様な動作は、一日に三回行われる。残りの２回の動作は、図３においてステップＳ２０９、Ｓ２１１及びＳ２１３並びにＳ２１５、Ｓ２１７及びＳ２１９に示されている。
【００４０】
次に、図１３を参照して、携帯端末の制御部１０３で稼働するプログラムにより行われるお天気アイコン表示方法について説明する。
【００４１】
まず、現在時刻を測定する（ステップＳ３０１）。
【００４２】
次に、次回の予定受信時刻を計算する（ステップＳ３０３）。この計算とは、図４に示すようなファイルを参照して、現在時刻の次の受信基準時刻ｔを求め、その受信時刻と最長遅延時間Δｔを用いて上述したようなｔ＋α×Δｔを求めるような計算のことである。
【００４３】
次に、現在時刻がステップＳ３０３で計算した時刻になるまで待つ（ステップＳ３０５、Ｓ３０７）。
【００４４】
現在時刻が、ステップＳ３０３で計算した時刻になったならば（ステップＳ３０７でＹＥＳ）、既に、携帯端末が基地局から取得し、記憶部１０５に格納されているセル識別情報を取得する（ステップＳ３０９）。
【００４５】
次に、お天気アイコン識別情報送信要求とセル識別情報をサーバに送信する（ステップＳ３１１）。このステップは、図３のステップＳ２０５、Ｓ２１１又はＳ２１７に対応する。
【００４６】
次に、サーバからお天気アイコン識別情報群を受信する（ステップＳ３１３）。このステップは、図３のステップＳ２０７、Ｓ２１３又はＳ２１９に対応する。お天気アイコン群識別情報群には、１つ以上のお天気アイコン識別情報が含まれている。
【００４７】
次に、ステップＳ３１３で受信したお天気アイコン識別情報群に含まれる各お天気アイコン識別情報に対応したお天気アイコンを記憶部１０５から検索する（ステップＳ３１５）。
【００４８】
次に、ステップＳ３１５で検索したお天気アイコン群を表示部１０７に表示する（ステップＳ３１７）。
【００４９】
次に、次回の予定受信時刻を計算する（ステップＳ３１９）。この計算とは、ステップＳ３０３と同様に、図４に示すようなファイルを参照して、現在時刻の次の受信基準時刻ｔを求め、その受信時刻と最長遅延時間Δｔを用いて上述したようなｔ＋α×Δｔを求めるような計算のことである。
【００５０】
ステップＳ３１９からは、ステップＳ３０５、Ｓ３０７のループに戻り、現在時刻がステップＳ３１９で計算した時刻まで待つ。以下、ステップ３０９以降を繰り返す。
【００５１】
図１３に示す方法は、毎回予定受信時刻を計算する方法であるが、スケジュールファイルを受信したならば、一日分の全ての受信時刻をまとめて計算しておいてもよい。そのような場合には、ステップＳ３０１、Ｓ３１９は省略される。そして、スケジュールファイルを受信したならば、ステップＳ３０３に進み、ここで、一日分の全ての予定受信時刻をまとめて計算する。ステップＳ３０７では、現在時刻を１日内の全ての予定受信時刻と比較し、現在時刻が何れかの予定受信時刻と一致したならば、ステップＳ３０９に進む。
【００５２】
実施形態１によれば、お天気アイコン群を予めサーバから携帯端末に送信しておき、実際に天気予報のお天気アイコンを表示する時に、サーバから携帯端末にお天気アイコン識別情報を送信するので、実際に天気予報のお天気アイコンを表示するときに、サーバから携帯端末にお天気アイコン自体を送信する場合に比べ、携帯端末網におけるトラフィック量を削減することができる。
【００５３】
［実施形態２］
実施形態１では、お天気アイコン及びそれに対応したお天気アイコン識別情報を組にして、予め携帯端末にダウンロードしておき、実際にお天気アイコンを更新する時点では、お天気アイコン識別情報をサーバから携帯端末にダウンロードし、携帯端末で、ダウンロードしたお天気アイコン識別情報に対応したお天気アイコンを表示するようにしていた。
【００５４】
実施形態２では、お天気アイコン及びそれに対応したお天気アイコン識別情報を組にして、予め携帯端末にダウンロードするようなことはしない。そして、実際にお天気アイコンを更新する時点では、お天気アイコンそれ自体をサーバから携帯端末にダウンロードし、携帯端末は、ダウンロードしたお天気アイコンを表示する。
【００５５】
［実施形態３］
実施形態１では、気象庁より発表される各地域の天気予報と各セルがどの地域に属しているのかという情報を基に、各セル毎の天気予報を求め、求められた各セル毎の天気予報情報に対応したお天気アイコン識別情報群を予めサーバの記憶部に記憶させておくようにした。
【００５６】
これに対し、実施形態３では、気象庁より発表される各地域の天気予報をそのまま或いはお天気アイコン識別情報群に変換して予めサーバの記憶部に記憶させる。そして、サーバは、携帯端末からお天気アイコン識別情報の要求とセル識別情報を受信したならば、セル識別情報を基に、そのセル識別情報により識別されるセルはどの地域に属しているのかを判断し、判断された地域の天気予報に対応したお天気アイコン識別情報を携帯端末に送信する。
【００５７】
［実施形態４］
実施形態２も実施形態１を実施形態３に変形したのと同様に変形することができる。
【００５８】
すなわち、実施形態４では、気象庁より発表される各地域の天気予報をそのまま或いはお天気アイコン群に変換して予めサーバに接続された記憶装置に記憶させる。サーバは、携帯端末からお天気アイコンの要求とセル識別情報を受信したならば、セル識別情報を基に、そのセル識別情報により識別されるセルはどの地域に属しているのかを判断し、判断された地域の天気予報に対応したお天気アイコン群を携帯端末に送信するように変形できる。
【００５９】
［実施形態５］
実施形態１では、セル識別情報を携帯端末が存在する位置を表す情報として利用した。
【００６０】
これに対し、実施形態５では、携帯端末に内蔵され、或いは、接続されたＧＰＳを利用して、自携帯端末が現在存在する位置を緯度経度により検出する。
【００６１】
そして、携帯端末は、お天気アイコン識別情報の要求と同時に自携帯端末の現在位置の緯度経度をサーバに送信する。サーバは、携帯端末から送られてきた緯度経度を基に、携帯端末がどの地域に属しているのかを判断し、判断された地域に対応するお天気アイコン識別情報群を携帯端末に送信する。
【００６２】
［実施形態６］
実施形態２では、セル識別情報を携帯端末が存在する位置を表す情報として利用した。
【００６３】
これに対し、実施形態６では、携帯端末に内蔵され、或いは、接続されたＧＰＳを利用して、自携帯端末が現在存在する位置を緯度経度により検出する。
【００６４】
そして、携帯端末は、お天気アイコンの要求と同時に自携帯端末の現在位置の緯度経度をサーバに送信する。サーバは、携帯端末から送られてきた緯度経度を基に、携帯端末がどの地域に属しているのかを判断し、判断された地域に対応するお天気アイコン群を携帯端末に送信する。
【００６５】
［実施形態７］
実施形態１乃至６では、お天気アイコンを携帯端末の画面に表示させること、及び、そのために天気予報情報を利用することを説明した。しかし、本発明は、これに限定されたものではない。
【００６６】
すなわち、例えば、お天気アイコンの代わりに交通情報アイコン、災害情報アイコン、自治体発信情報アイコン、地域別クーポン券アイコンを扱うことができる。この場合であっても、セル識別情報や、経度緯度により表される現在位置が用いられる。アイコンに対応する情報は、例えば、交通情報アイコンの場合であれば、交通情報であり、災害情報アイコンの場合であれば災害情報アイコンである。交通情報アイコンにより渋滞度や事故情報や交通規制情報などを表すことができる。災害情報アイコンにより浸水情報、火災情報、倒壊情報などを表すことができる。自治体発信情報アイコンにより選挙日やゴミ収集日や商店街イベント情報などを表すことができる。地域別クーポン券アイコンにより商店街共通クーポン券アイコンなどを表すことができる。
【００６７】
また、お天気アイコンの一種として風向アイコンや風速アイコンを利用することもできる。
【００６８】
［実施形態８］
実施形態１、３及び５では、お天気アイコンをサーバから携帯端末に送信することとした。こうすることにより、お天気アイコンを携帯端末にプリインストールする必要なしに、携帯端末に表示させるお天気アイコンを変化させることができる。
【００６９】
しかし、携帯端末にお天気アイコンをプリインストールさせておけば、お天気アイコンをサーバから携帯端末に送信する必要がない。例えば、晴れを表す太陽のアイコン、曇りを表す雲のアイコン、雨を表す傘のアイコン、「後」を表す所定のアイコン、「時々」を表す別の所定のアイコンなどの少なくとも基本的なアイコンを携帯端末にプリインストールしておけば、お天気アイコンをサーバから携帯端末に送信しなくても、天気予報情報に対応したアイコン識別情報をサーバから携帯端末に送るだけで、携帯端末にお天気アイコンを表示させることができる。
【００７０】
［実施形態９］
実施形態９では、スケジュールファイル４０１にスケジュールの有効期限を記述する。携帯端末は、有効期限を読み込み、有効期限が切れている場合には、アイコン識別情報やアイコンの送信の要求をサーバに対して出さない。
【００７１】
スケジュールファイルに時刻情報のみが記述されており、日付が記述されていない場合には、携帯端末は、時刻情報に従って決定した時刻にサーバからアイコン識別情報やアイコンをダウンロードして、アイコンを表示することを毎日繰り返すこととなる。
【００７２】
しかし、こうすると、例えば、お天気アイコン表示サービスをある携帯端末において中止するためには、スケジュールファイルを携帯端末から削除するためのメッセージをサーバから携帯端末に送信する必要が出てくる。
【００７３】
これに対し、例えば、スケジュールファイルの有効期限を毎月末までにしておけば、契約を継続して、翌月の始めにその月のスケジュールファイルを送信するという動作を行わないのみで、契約を中止することが可能となる。
【００７４】
また、例えば、３日間のみ有効な地域限定情報を表すアイコンを３日間のみ携帯端末に表示させることが可能となる。
【００７５】
［実施形態１０］
上記の実施形態では、アイコンにより地域限定情報を表示することを説明したが、文字又はアイコンと文字との組合せにより地域限定情報を表しても良い。
【００７６】
図１４に示すのは、文字とアイコンにより表されたお天気の詳細情報である。ユーザが所定の操作をすることにより、図１４に示す画面が表示される。
【００７７】
このためには、サーバは、図１４に示される画面を表示するためのＨＴＭＬ文書を携帯端末に送信する。アイコンは、ＨＴＭＬ文書と一緒にサーバから携帯端末に送信しても良いが、実施形態１と同様に、携帯端末にアイコンを予め保存させておき、アイコン識別情報を含むＨＴＭＬ文書を送るようにしてもよい。
【図面の簡単な説明】
【００７８】
【図１】本発明の実施形態による携帯端末の構成を示すブロック図である。
【図２】本発明の実施形態によるサーバの構成を示すブロック図である。
【図３】本発明の実施形態によるお天気アイコン表示方法を説明するためのシーケンス図である。
【図４】本発明の実施形態によるスケジュールファイルの一例を示す図である。
【図５】本発明の実施形態において、時間分散してお天気アイコン識別情報を送信する様子を示す概念図である。
【図６】本発明の実施形態で利用される基本お天気アイコン及びお天気アイコン識別情報を示す図である。
【図７】本発明の実施形態で利用される拡張お天気アイコンを示す図（１／３）である。
【図８】本発明の実施形態で利用される拡張お天気アイコンを示す図（２／３）である。
【図９】本発明の実施形態で利用される拡張お天気アイコンを示す図（３／３）である。
【図１０】本発明の実施形態において、お天気アイコン識別情報の送信の時間分散のために利用される計算式を示す図である。
【図１１】本発明の実施形態においてサーバから携帯端末に送信されるお天気アイコン識別情報群を含むテキストデータを示す図である。
【図１２】本発明の実施形態によるお天気アイコンが表示された待受画面を示す図である。
【図１３】本発明の実施形態による携帯端末におけるお天気アイコン表示方法を説明するためのフローチャートである。
【図１４】本発明の実施形態によるお天気の詳細情報が表示された画面を示す図である。
【符号の説明】
【００７９】
１０１  通信部
１０３  制御部
１０５  記憶部
１０７  表示部
１０９  操作部
１１１  コーデック部
１１３  マイク／スピーカ
１２１  通信部
１２３  制御部
１２５  記憶部
１２７  インターフェース部
４０１  スケジュールファイル
４０３  お天気アイコン群
【図１】
2008035362.tif 000003
【図２】
2008035362.tif 000004
【図３】
2008035362.tif 000005
【図４】
2008035362.tif 000006
【図１０】
2008035362.tif 000007
【図１３】
2008035362.tif 000008
【図５】
2008035362.tif 000009
【図６】
2008035362.tif 000010
【図７】
2008035362.tif 000011
【図８】
2008035362.tif 000012
【図９】
2008035362.tif 000013
【図１１】
2008035362.tif 000014
【図１２】
2008035362.tif 000015
【図１４】
2008035362.tif 000016